(57)【要約】【課題】  複数の検査員の間で検査に関する指摘情報をリアルタイムに共有することにより、効率良く且つ確実に検査を行うことを可能にする。【解決手段】  本発明の一の態様によれば、検査箇所に関して指摘すべき指摘情報４０を入力するための入力画面８，２８を、クライアント装置２に表示する入力画面表示手段４２と、指摘情報入力画面で入力された指摘情報４０を、クライアント装置２からサーバ装置１へ送信する指摘情報送信手段４７と、一のクライアント装置２の指摘情報入力画面に、他の前記クライアント装置２からサーバ装置１へ送信された指摘情報４０を表示する指摘情報共有手段５と、を備える検査指摘情報共有システム１００が提供される。【選択図】  図２
2019179491.tif 000002
【特許請求の範囲】
【請求項１】
サーバ装置と複数のクライアント装置とを含んで構成され、検査で指摘された情報を複数の前記クライアント装置の間で共有する検査指摘情報共有システムであって、
検査箇所に関して指摘すべき指摘情報を入力するための指摘情報入力画面を、前記クライアント装置に表示する入力画面表示手段と、
前記指摘情報入力画面で入力された指摘情報を、前記クライアント装置から前記サーバ装置へ送信する指摘情報送信手段と、
一の前記クライアント装置の前記指摘情報入力画面に、他の前記クライアント装置から前記サーバ装置へ送信された前記指摘情報を表示する指摘情報共有手段と、
を備えることを特徴とする検査指摘情報共有システム。
【請求項２】
前記指摘情報共有手段が、前記一のクライアント装置の前記指摘情報入力画面を所定の時間毎に更新することを特徴とする請求項１に記載の検査指摘情報共有システム。
【請求項３】
前記指摘情報共有手段が、前記他のクライアント装置から前記サーバ装置に送信された指摘情報の件数を表示する同期件数アイコンを、前記指摘情報入力画面に表示することを特徴とする請求項１又は２に記載の検査指摘情報共有システム。
【請求項４】
画像情報として構成された指摘情報である画像指摘情報が、複数の前記クライアント装置から前記サーバ装置へ送信され、前記指摘情報共有手段が、複数の前記画像指摘情報を統合して作成した統合画像を、前記一のクライアント装置の前記指摘情報入力画面に表示することを特徴とする請求項１から３の何れか一項に記載の検査指摘情報共有システム。
【請求項５】
前記一のクライアント装置の前記指摘情報入力画面に、前記検査箇所を含んだ図面が表示され、前記統合画像が前記図面の上に表示されることを特徴とする請求項４に記載の検査指摘情報共有システム。
【請求項６】
前記画像指摘情報が、前記図面において前記検査箇所の位置を特定するための指摘用ピンの画像情報であることを特徴とする請求項５に記載の検査指摘情報共有システム。
【請求項７】
前記指摘情報共有手段が、前記一のクライアント装置で入力された指摘情報と、前記他のクライアント装置から前記サーバ装置へ送信された指摘情報とを一覧表示することを特徴とする請求項１から３の何れか一項に記載の検査指摘情報共有システム。
【請求項８】
前記クライアント装置を使用する検査員が、予め複数のグループに分けられ、前記指摘情報共有手段は、前記一のクライアント装置を使用する検査員と同じグループに属する検査員が使用する前記他のクライアント装置から前記サーバ装置へ送信された指摘情報のみを、前記一のクライアント装置の前記指摘情報入力画面に表示することを特徴とする請求項１から７の何れか一項に記載の検査指摘情報共有システム。
【発明の詳細な説明】
【技術分野】
【０００１】
本発明は、サーバ装置と複数のクライアント装置とを含んで構成され、検査で指摘された情報を複数のクライアント装置の間で共有する検査指摘情報共有システムに関する。
【背景技術】
【０００２】
建物の建設工事や修繕工事では、工事が設計図面通りに施工されているかどうかを確認するための検査が行われる。そして、各検査員が検査で指摘した情報を、複数の工事関係者の間で共有するためのシステムとして、サーバ装置と複数のクライアント装置から構成される検査指摘情報共有システムが従来知られている（例えば、特許文献１を参照）。この検査指摘情報共有システムでは、一のクライアント装置において検査員が指摘情報を含んだ検査記録を作成し、その検査記録をサーバ装置へ送信することにより、サーバ装置に検査記録が記憶される。そうすると、他のクライアント装置を使用する工事関係者は、サーバ装置にアクセスすることにより指摘情報を閲覧することができる。
【先行技術文献】
【特許文献】
【０００３】
【特許文献１】特開２００２−９２０８２号公報
【発明の概要】
【発明が解決しようとする課題】
【０００４】
しかし、従来の検査指摘情報共有システムでは、複数の検査員の間で検査に関する指摘情報をリアルタイムに共有することができないという問題がある。すなわち、指摘情報共有システムでは、ある検査員が指摘情報を含んだ検査記録を作成してサーバに送信した後でないと、他の検査員はその指摘情報を閲覧することができない。従って、例えば複数の検査員が同じ建物の異なる検査箇所で同時に検査を行う場合、各検査員は他の検査員が指摘した情報をリアルタイムに閲覧することができない。そうすると、複数の検査員が建物の異なる階で同種の検査をそれぞれ行う場合であっても、各検査員は他の検査員の指摘情報を参考にすることができないため、検査全体の効率性及び確実性が低下する。
【０００５】
そこで本発明は、かかる事情に鑑みて創案され、その目的は、複数の検査員の間で検査に関する指摘情報をリアルタイムに共有することにより、効率良く且つ確実に検査を行うことを可能にする検査指摘情報共有システムを提供することにある。
【課題を解決するための手段】
【０００６】
本発明の一の態様によれば、
サーバ装置と複数のクライアント装置とを含んで構成され、検査で指摘された情報を複数の前記クライアント装置の間で共有する検査指摘情報共有システムであって、
検査箇所に関して指摘すべき指摘情報を入力するための指摘情報入力画面を、前記クライアント装置に表示する入力画面表示手段と、
前記指摘情報入力画面で入力された指摘情報を、前記クライアント装置から前記サーバ装置へ送信する指摘情報送信手段と、
一の前記クライアント装置の前記指摘情報入力画面に、他の前記クライアント装置から前記サーバ装置へ送信された前記指摘情報を表示する指摘情報共有手段と、
を備える検査指摘情報共有システムが提供される。
【０００７】
なお、本発明の一の態様に係る検査指摘情報共有システムにおいては、前記指摘情報共有手段が、前記一のクライアント装置の前記指摘情報入力画面を所定の時間毎に更新してもよい。
【０００８】
また、本発明の一の態様に係る検査指摘情報共有システムにおいては、前記指摘情報共有手段が、前記他のクライアント装置から前記サーバ装置に送信された指摘情報の件数を表示する同期件数アイコンを、前記指摘情報入力画面に表示してもよい。
【０００９】
また、本発明の一の態様に係る検査指摘情報共有システムにおいては、画像情報として構成された指摘情報である画像指摘情報が、複数の前記クライアント装置から前記サーバ装置へ送信され、前記指摘情報共有手段が、複数の前記画像指摘情報を統合して作成した統合画像を、前記一のクライアント装置の前記指摘情報入力画面に表示してもよい。
【００１０】
また、本発明の一の態様に係る検査指摘情報共有システムにおいては、前記一のクライアント装置の前記指摘情報入力画面に、前記検査箇所を含んだ図面が表示され、前記統合画像が前記図面の上に表示されてもよい。
【００１１】
また、本発明の一の態様に係る検査指摘情報共有システムにおいては、前記画像指摘情報が、前記図面において前記検査箇所の位置を特定するための指摘用ピンの画像情報であってもよい。
【００１２】
また、本発明の一の態様に係る検査指摘情報共有システムにおいては、前記指摘情報共有手段が、前記一のクライアント装置で入力された指摘情報と、前記他のクライアント装置から前記サーバ装置へ送信された指摘情報とを一覧表示してもよい。
【００１３】
また、本発明の一の態様に係る検査指摘情報共有システムにおいては、前記クライアント装置を使用する検査員が、予め複数のグループに分けられ、前記指摘情報共有手段は、前記一のクライアント装置を使用する検査員と同じグループに属する検査員が使用する前記他のクライアント装置から前記サーバ装置へ送信された指摘情報のみを、前記一のクライアント装置の前記指摘情報入力画面に表示してもよい。
【発明の効果】
【００１４】
本発明の一の態様に係る検査指摘情報共有システムによれば、複数の検査員の間で検査に関する指摘情報をリアルタイムに共有することにより、効率良く且つ確実に検査を行うことができる。
【図面の簡単な説明】
【００１５】
【図１】本発明の実施形態に係る検査指摘情報共有システム１００の概略構成を示す模式図である。
【図２】サーバ装置１とクライアント装置２の機能的な構成を示すブロック図である。
【図３】チェックシート画面フォームを含んだチェックシート画面を示す概略図である。
【図４】画像入力画面フォームを含んだ画像入力画面を示す概略図である。
【図５】テキスト入力画面フォームを含んだテキスト入力画面を示す概略図である。
【図６】一覧画面フォームを含んだ一覧画面を示す概略図である。
【図７】チェックシート画面表示処理の流れを示すフローチャートである。
【図８】チェックシート画面更新処理の流れを示すフローチャートである。
【図９】画像入力画面表示処理の流れを示すフローチャートである。
【図１０】画像入力画面更新処理の流れを示すフローチャートである。
【図１１】一覧画面表示処理の流れを示すフローチャートである。
【図１２】一覧画面更新処理の流れを示すフローチャートである。
【発明を実施するための形態】
【００１６】
以下、本発明の実施の形態に係る検査指摘情報共有システムについて、図面を参照しつつ説明する。本実施形態に係る検査指摘情報共有システムは、複数の検査員の間で検査に関する指摘情報をリアルタイムに共有するシステムである。
【００１７】
（検査指摘情報共有システムの構成）
図１は、本発明の実施形態に係る検査指摘情報共有システム１００の概略構成を示す模式図である。検査指摘情報共有システム１００は、データセンタＤ等に設置されたサーバ装置１と、このサーバ装置１に対してインターネット等のネットワークＮを介して通信可能に接続された複数のクライアント装置２と、を備えている。クライアント装置２は、タブレット端末２Ａと、スマートフォン２Ｂと、を含んでいる。なお、クライアント装置２としては、図に詳細は示さないが、パーソナルコンピュータ、ＰＤＡ（Ｐｅｒｓｏｎａｌ  Ｄｉｇｉｔａｌ  Ａｓｓｉｓｔａｎｔｓ）、携帯電話等、従来公知の情報端末を使用することができる。
【００１８】
サーバ装置１は、クライアント装置２に対して所定のサービスを提供する。図２は、サーバ装置１とクライアント装置２の機能的な構成を示すブロック図である。サーバ装置１は、クライアント装置２からの指示を受け付ける受付手段３と、指示に応じた各種画面をクライアント装置２に表示する画面表示手段４と、指摘情報の共有に関する処理を行う指摘情報共有手段５と、各種情報を記憶する記憶手段６と、を含んで構成されている。
【００１９】
受付手段３は、図２に示すように、画面表示指示受付手段３１と、指摘情報受付手段３２と、同期要求受付手段３３と、を備える。
【００２０】
画面表示手段４は、図２に示すように、チェックシート画面表示手段４１と、入力画面表示手段４２と、一覧画面表示手段４３と、を有している。
【００２１】
指摘情報共有手段５は、図２に示すように、チェックシート画面更新手段５１と、入力画面更新手段５２と、一覧画面更新手段５３と、を有している。
【００２２】
記憶手段６は、図２に示すように、画面フォーム記憶手段６１と、図面記憶手段６２と、検査画像記憶手段６３と、指摘情報記憶手段６４と、自他識別アイコン記憶手段６５と、を有している。
【００２３】
（受付手段３について）
図２に示す画面表示指示受付手段３１は、クライアント装置２に各種の画面を表示する旨の指示を受け付ける。具体的には、画面表示指示受付手段３１は、チェックシート画面を表示する旨の指示をクライアント装置２から受け付けると、チェックシート画面表示手段４１に対し、クライアント装置２にチェックシート画面を表示する旨の命令を発する。ここで、チェックシート画面とは、検査の単位となるチェックシートを表示する画面であり、不図示のチェックシート一覧画面（不図示）において何れかのチェックシートが選択されると、そのチェックシートについてのチェックシート画面が表示される。例えば、「基礎工事チェックシート」が選択された場合、基礎工事チェックシート画面が表示される。
【００２４】
また、画面表示指示受付手段３１は、指摘情報入力画面（以下、「入力画面」と略す）を表示する旨の指示をクライアント装置２から受け付けると、入力画面表示手段４２に対し、クライアント装置２に入力画面を表示する旨の命令を発する。ここで、入力画面とは、クライアント装置２のユーザである検査員が検査時に指摘情報を入力する画面である。なお、本願明細書における「指摘情報」とは、検査箇所に関して検査員が指摘する情報を意味し、検査箇所が設計通りに施工されていないことを指摘する不具合情報と、検査箇所が設計通りに施工されていることを指摘する情報の両方を含んでいる。
【００２５】
本実施形態では、入力画面として、画像指摘情報を入力するための画像入力画面と、テキスト指摘情報を入力するためのテキスト入力画面とが設けられている。ここで、画像指摘情報とは画像情報として構成された指摘情報であり、テキスト指摘情報とはテキスト情報として構成された指摘情報のことである。画面表示指示受付手段３１は、入力画面表示指示を受け付けると、入力画面表示手段４２に対し、クライアント装置２に画像入力画面またはテキスト入力画面を表示する旨の命令を発する。
【００２６】
また、画面表示指示受付手段３１は、指摘情報一覧画面（以下、「一覧画面」と略す）を表示する旨の指示をクライアント装置２から受け付けると、一覧画面表示手段４３に対し、クライアント装置２に一覧画面を表示する旨の命令を発する。ここで、一覧画面とは、現在選択されているチェックシートについて、各検査員によってこれまでに入力された全ての指摘情報を一覧として表示する画面である。
【００２７】
図２に示す指摘情報受付手段３２は、クライアント装置２からサーバ装置１へ送信された指摘情報を受け付ける。この指摘情報受付手段３２は、クライアント装置２から指摘情報を受け付けると、受け付けた画像指摘情報及びテキスト指摘情報を、指摘情報記憶手段６４にそれぞれ記憶する。
【００２８】
図２に示す同期要求受付手段３３は、指摘情報を同期する旨の要求をクライアント装置２から受け付ける。ここで、本願明細書において「同期する」とは、同期要求を発したクライアント装置２で記憶された指摘情報を、サーバ装置１で記憶された指摘情報と同じ状態にすることを意味している。同期要求受付手段３３は、同期要求を受け付けると、指摘情報共有手段５に対し、同期要求を発したクライアント装置２の指摘情報を同期する旨の命令を発する。より詳細には、同期要求受付手段３３は、チェックシート画面更新手段５１に対し、チェックシート画面を更新する旨の命令を発する。また、同期要求受付手段３３は、入力画面更新手段５２に対し、入力画面を更新する旨の命令を発する。更に、同期要求受付手段３３は、一覧画面更新手段５３に対し、一覧画面を更新する旨の命令を発する。
【００２９】
（画面表示手段４について）
図２に示すチェックシート画面表示手段４１は、クライアント装置２にチェックシート画面を表示する。このチェックシート画面表示手段４１は、クライアント装置２にチェックシート画面を表示する旨の命令を画面表示指示受付手段３１から受けると、画面フォーム記憶手段６１にアクセスし、そこに記憶されたチェックシート画面フォームを読み出す。
【００３０】
図２に示す入力画面表示手段４２は、クライアント装置２に画像入力画面またはテキスト入力画面を表示する。この入力画面表示手段４２は、クライアント装置２に画像入力画面を表示する旨の命令を画面表示指示受付手段３１から受けると、画面フォーム記憶手段６１にアクセスし、そこに記憶された画像入力画面フォームを読み出す。また、入力画面表示手段４２は、図面記憶手段６２にアクセスし、そこに記憶された所定の図面を読み出す。そして、入力画面表示手段４２は、読み出した画像入力画面フォームの所定位置に図面を配置することにより画像入力画面を作成し、作成した画像入力画面をクライアント装置２へ送信する。これにより、クライアント装置２に画像入力画面が表示される。なお、送信された図面はクライアント装置２に記憶される。従って、次回以降にその図面を使用した画像入力画面をクライアント装置２に表示する場合、入力画面表示手段４２は図面記憶手段６２から図面を読み出してクライアント装置２へ送信する工程を省略することができる。従って、クライアント装置２において入力画面が表示されるまでの待ち時間を短縮化することができる。
【００３１】
一方、入力画面表示手段４２は、クライアント装置２にテキスト入力画面を表示する旨の命令を画面表示指示受付手段３１から受けると、画面フォーム記憶手段６１にアクセスし、そこに記憶されたテキスト入力画面フォームを読み出す。そして、入力画面表示手段４２は、読み出したテキスト入力画面フォームに基づいてテキスト入力画面を作成し、作成したテキスト入力画面をクライアント装置２へ送信する。これにより、クライアント装置２にテキスト入力画面が表示される。
【００３２】
図２に示す一覧画面表示手段４３は、クライアント装置２に一覧画面を表示する。この一覧画面表示手段４３は、クライアント装置２に一覧画面を表示する旨の命令を画面表示指示受付手段３１から受けると、画面フォーム記憶手段６１にアクセスし、そこに記憶された一覧画面フォームを読み出す。次に、一覧画面表示手段４３は、検査画像記憶手段６３にアクセスし、そこに記憶された所定の検査画像を読み出す。更に、一覧画面表示手段４３は、指摘情報記憶手段６４にアクセスし、そこに記憶されている画像指摘情報とテキスト指摘情報をそれぞれ読み出す。その上で一覧画面表示手段４３は、一覧画面フォームの所定位置に検査画像と画像指摘情報とテキスト指摘情報とをそれぞれ配置することにより一覧画面を作成し、作成した一覧画面をクライアント装置２へ送信する。これにより、クライアント装置２に一覧画面が表示される。
【００３３】
また、一覧画面表示手段４３は、一覧画面に自他識別アイコンを表示する。この自他識別アイコンとは、一覧画面に表示された指摘情報が、同期要求を発したクライアント装置２自身によって入力された指摘情報か、他のクライアント装置２によって入力された指摘情報かを識別するためのアイコンである。一覧画面表示手段４３は、自他識別アイコン記憶手段６５にアクセスし、そこに記憶されている自他識別アイコンを読み出する。そして、一覧画面表示手段４３は、一覧画面の所定位置に自他識別アイコンを適宜配置する。
【００３４】
（指摘情報共有手段５について）
図２に示すチェックシート画面更新手段５１は、同期要求を発したクライアント装置２のチェックシート画面を更新する。より詳細には、チェックシート画面更新手段５１は、まずチェックシート画面にアラートを表示する。すなわち、チェックシート画面更新手段５１は、同期要求受付手段３３からチェックシート画面を更新する旨の命令を受けると、指摘情報記憶手段６４にアクセスし、当該チェックシートについて記憶されている指摘情報が存在している場合には、その旨を表したアラートを表示する。
【００３５】
更に、チェックシート画面更新手段５１は、チェックシート画面に指摘件数アイコンを表示する。この指摘件数アイコンとは、当該チェックシートについて記憶されている指摘情報のうち、同期要求を発したクライアント装置２自身において入力された指摘情報の件数と、他のクライアント装置２において入力された指摘情報とをそれぞれ示すアイコンである。
【００３６】
図２に示す入力画面更新手段５２は、同期要求を発したクライアント装置２の画像入力画面を更新する。より詳細には、入力画面更新手段５２は、まず画像入力画面に統合画像を表示する。すなわち、入力画面更新手段５２は、同期要求受付手段３３から入力画面を更新する旨の命令を受けると、指摘情報記憶手段６４にアクセスし、その時点においてそこに記憶されている画像指摘情報を読み出す。但しこの時、入力画面更新手段５２は、同期要求を発したクライアント装置２以外のクライアント装置２から過去に受け付けた画像指摘情報だけを選別して読み出す。その上で、入力画面更新手段５２は、読み出した画像指摘情報を統合することにより統合画像を作成する。そして、入力画面更新手段５２は、同期要求を発したクライアント装置２に対し、作成した統合画像を送信する。これにより、そのクライアント装置２の画像入力画面に統合画像が表示される。なお、入力画面更新手段５２は、指摘情報記憶手段６４に読み出すべき画像指摘情報が存在しない場合、画像入力画面を更新しない。また、入力画面更新手段５２は、指摘情報記憶手段６４から読み出した画像指摘情報が１つだけの場合、読み出した画像指摘情報をそのまま統合画像とする。
【００３７】
更に、入力画面更新手段５２は、同期した件数を示す同期件数アイコンを画像入力画面に表示する。すなわち、入力画面更新手段５２は、同期要求受付手段３３から入力画面を更新する旨の命令を受けると、まず同期件数を取得する。この同期件数とは、入力画面更新手段５２が指摘情報記憶手段６４から読み出した画像指摘情報の件数のうち、同期要求を発したクライアント装置２以外のクライアント装置２で入力された画像指摘情報の件数を意味している。そして、入力画面更新手段５２は、取得した同期件数に応じて、その同期件数を視認可能な同期件数アイコンを作成する。そして、入力画面更新手段５２は、同期要求を発したクライアント装置２に対し、作成した同期件数アイコンを送信する。これにより、そのクライアント装置２の画像入力画面に、同期件数アイコンが表示される。なお、画像入力画面に同期件数アイコンが既に表示されている場合、先に表示されていた同期件数アイコンが新たな同期件数アイコンに置換される。
【００３８】
図２に示す一覧画面更新手段５３は、同期要求を発したクライアント装置２の一覧画面を更新する。より詳細には、一覧画面更新手段５３は、同期要求手段から一覧画面を更新する旨の命令を受けると、指摘情報記憶手段６４にアクセスし、その時点においてそこに記憶されている画像指摘情報とテキスト指摘情報をそれぞれ読み出す。そして、一覧画面更新手段５３は、同期要求を発したクライアント装置２に対し、読み出した画像指摘情報とテキスト指摘情報を送信する。これにより、そのクライアント装置２の一覧画面に、送信した画像指摘情報とテキスト指摘情報がそれぞれ表示される。
【００３９】
（記憶手段６について）
図２に示す画面フォーム記憶手段６１は、画面を構成する画面形態としての画面フォームを記憶する。本実施形態の画面フォーム記憶手段６１は、チェックシート画面を作成するためのチェックシート画面フォームと、画像入力画面を作成するための画像入力画面フォームと、テキスト入力画面を作成するためのテキスト入力画面フォームと、一覧画面を作成するための一覧画面フォームとを記憶している。
【００４０】
図３は、本実施形態に係るチェックシート画面フォーム５４を含んだチェックシート画面５５を示す概略図である。チェックシート画面フォーム５４は、その画面中央部にチェック項目表示エリア５６を備えている。そして、このチェック項目表示エリア５６には、現在選択されているチェックシートに関するチェック項目５７が表示される。各チェック項目５７には、チェック項目５７の内容及びチェックを行った日付が表示されると共に、検査画像撮影ボタン５８とテキスト入力ボタン５９とがそれぞれ配置されている。検査画像撮影ボタン５８は、検査箇所を撮影するためにクライアント装置２をカメラモードに切り替える時に使用される。テキスト入力ボタン５９は、テキスト指摘情報を入力するためにチェックシート画面５５からテキスト入力画面へ遷移する時に使用される。
【００４１】
図４は、本実施形態に係る画像入力画面フォーム７を含んだ画像入力画面８を示す概略図である。画像入力画面フォーム７は、画面中央部に設けられた図面表示エリア９と、画面上部に設けられたヘッダーエリア１０と、画面下部に設けられたフッターエリア１１と、を備えている。
【００４２】
図４に示す図面表示エリア９には、検査箇所の周辺を示した図面１２が表示される。また、図面１２が複数ある場合には、この図面表示エリア９内の画面向かって左側上部に図面選択ボタン１３が表示される。検査員がこの図面選択ボタン１３を押下すると、不図示の図面選択画面がポップアップし、検査員はこの図面選択画面において任意の図面１２を選択することができる。
【００４３】
図４に示すヘッダーエリア１０には、その画面向かって左端に、入力画面を閉じるためのキャンセルボタン１４が配置される。検査員は、このキャンセルボタン１４を押下することにより、画像入力画面８を閉じてテキスト入力画面へ遷移することができる。また、ヘッダーエリア１０内の画面向かって右側には、アップロードボタン１５が配置されている。このアップロードボタン１５は、画像入力画面８において作成中でまだサーバ装置１へ送信されていない画像指摘情報がある場合に押下可能な状態となる。検査員がこのアップロードボタン１５を押下することにより、未送信の画像指摘情報がサーバ装置１へ送信される。
【００４４】
図４に示すフッターエリア１１には、その画面向かって左側に、図面表示エリア９の図面１２を編集するために使用される各種ボタンが配置される。本実施形態のフッターエリア１１には、フリー描画ボタン１６と、直線描画ボタン１７と、文字挿入ボタン１８と、オブジェクト選択ボタン１９と、測定ボタン２０と、色設定ボタン２１と、サイズ設定ボタン２２とがそれぞれ配置されている。フリー描画ボタン１６は、図面１２上に任意の曲線を描画する時に使用される。直線描画ボタン１７は、図面１２上に任意の直線を描画する時に使用される。文字挿入ボタン１８は、図面１２上に任意の文字を挿入する時に使用される。オブジェクト選択ボタン１９は、図面１２上に描画された線や文字等のオブジェクトを選択し、そのオブジェクトを削除、回転、拡大、縮小等する時に使用される。測定ボタン２０は、図面１２上における所定区間の長さを測定する時や、所定領域の面積を測定する時等に使用される。色設定ボタン２１は、図面１２上に線や文字等を描画する時にその色を設定するために使用される。サイズ設定ボタン２２は、図面１２上に線を描画する時にその太さを設定し、または文字を描画する時にその大きさを設定するために使用される。
【００４５】
更に、フッターエリア１１には、その画面向かって右側に、指摘情報追加ボタン２３と指摘情報一覧ボタン２４とがそれぞれ配置されている。指摘情報追加ボタン２３は、図３に示すように、図面１２上における所定の検査箇所に、画像指摘情報としての指摘用ピン２５を配置する時などに使用される。一方、指摘情報一覧ボタン２４は、一覧画面２６を呼び出す時に使用される。すなわち、検査員が指摘情報一覧ボタン２４を押下すると、図４に一点鎖線で示すように、画像入力画面８の上に一覧画面２６が出現する。
【００４６】
図５は、本実施形態に係るテキスト入力画面フォーム２７を含んだテキスト入力画面２８を示す概略図である。テキスト入力画面フォーム２７は、指摘コメント入力欄２９と、アップロードボタン３０と、検査画像撮影ボタン３４と、画像指摘情報入力ボタン３５と、を備えている。指摘コメント入力欄２９には、テキスト指摘情報の一つとしての指摘コメント、すなわち検査箇所における具体的な不具合の内容等に関するコメントが入力される。アップロードボタン３０は、指摘コメント入力欄２９に入力したテキスト指摘情報をサーバ装置１へ送信する時に使用される。検査画像撮影ボタン３４は、検査箇所を撮影するためにクライアント装置２をカメラモードに切り替える時に使用される。画像指摘情報入力ボタン３５は、画像指摘情報を入力するためにテキスト入力画面２８から画像入力画面８へ遷移する時に使用される。
【００４７】
図２に示す図面記憶手段６２は、検査箇所の周辺を示した各種図面１２、本実施形態では図３に示す建物の平面図を記憶する。なお、図面記憶手段６２が記憶する図面１２は、建物の平面図に限定されず、検査箇所の特定が可能な任意の図面やポンチ絵等であってもよい。
【００４８】
図６は、本実施形態に係る一覧画面フォーム３６を含んだ一覧画面２６を示す概略図である。一覧画面フォーム３６は、画面中央部に設けられた指摘情報表示エリア３７と、画面上部に設けられたヘッダーエリア３８と、画面下部に設けられたフッターエリア３９と、を備えている。
【００４９】
図６に示す指摘情報表示エリア３７には、現在選択されているチェックシートに関して現時点までに入力された全ての指摘情報４０が表示される。この指摘情報４０には、画像入力画面８で現在表示中の図面１２に関する指摘情報４０だけでなく、検査シートに含まれる全ての図面１２について入力された指摘情報４０が含まれる。そして、各指摘情報４０には、日付け、指摘用ピン２５、検査画像、指摘コメント等がそれぞれ表示される。また、各指摘情報４０には、同期要求を発したクライアント装置２自身によって入力された指摘情報４０か、他のクライアント装置２によって入力された指摘情報４０かを識別するための自他識別アイコン４４がそれぞれ表示される。
【００５０】
図６に示すヘッダーエリア３８には、その画面向かって右端に、ソートボタン４５が配置される。検査員は、このソートボタン４５を押下することにより、日付けや工種や不具合内容といった種々のキーに基づいて複数の指摘情報４０を並べ替えることができる。また、図６に示すフッターエリア３９には、その画面向かって右端に、閉じるボタン４６が配置されている。検査員は、この閉じるボタン４６を押下することにより、一覧画面２６を閉じて画像入力画面８へ遷移することができる。
【００５１】
図２に示す検査画像記憶手段６３は、検査画像すなわち指摘情報４０の裏付けとして撮影された検査箇所の画像を記憶する。また、図２に示す指摘情報記憶手段６４は、テキスト指摘情報と画像指摘情報を記憶する。ここで、テキスト指摘情報には、図５に示すテキスト入力画面２８において入力された指摘コメントが含まれる。また、画像指摘情報には、図４に示す画像入力画面８で図面１２上に配置される指摘用ピン２５の画像が含まれる。この指摘用ピン２５としては、仮設工事や地業工事といった工種ごとに、色や形状の異なる複数種類の指摘用ピン２５が用意されている。また、図２に示す自他識別アイコン記憶手段６５は、一覧画面２６に表示するための自他識別アイコン４４を記憶する。この自他識別アイコン４４には、指摘情報４０が同期要求を発したクライアント装置２自身において入力されたものであることを示す自分用アイコンと、指摘情報４０が他のクライアント装置２において入力されたものであることを示す他人用アイコンとが含まれる。
【００５２】
図１に示すクライアント装置２は、サーバ装置１から所定のサービスを享受する。このクライアント装置２は、図２に示すように、指摘情報送信手段４７と、同期要求送信手段４８と、を含んで構成されている。
【００５３】
（指摘情報送信手段４７について）
図２に示す指摘情報送信手段４７は、クライアント装置２で入力された指摘情報４０を、サーバ装置１の指摘情報受付手段３２へ送信する。
【００５４】
（同期要求送信手段４８について）
図２に示す同期要求送信手段４８は、指摘情報４０を同期する旨の要求を、サーバ装置１の同期要求受付手段３３へ一定時間間隔で送信する。本実施形態では、この同期要求送信手段４８による同期要求が、６０秒間隔で行われている。この時間間隔は、本実施形態に限定されず適宜変更が可能である。また、本実施形態ではクライアント装置２からの同期要求に対してサーバ装置１が指摘情報４０の同期を行っているが、クライアント装置２からの同期要求は行わず、サーバ装置１が一定時間間隔で自動的に指摘情報４０の同期を行って、その結果を各クライアント装置２へ送信してもよい。
【００５５】
（チェックシート画面表示処理）
次に、本実施形態に係る検査指摘情報共有システム１００がクライアント装置２にチェックシート画面５５を表示するチェックシート画面表示処理について説明する。図７は、チェックシート画面表示処理の流れを示すフローチャートである。
【００５６】
チェックシート画面表示処理が開始すると、図２に示す画面表示指示受付手段３１は、まずチェックシート画面５５を表示する旨の指示をクライアント装置２から受け付けたか否かを判定する（ステップＳ１）。なお、チェックシート画面５５を表示する旨の指示は、図に詳細は示さないが、例えばクライアント装置２のチェックシート一覧画面２６において検査員が所定のチェックシートを選択することにより、クライアント装置２からサーバ装置１に向けて発せられる。
【００５７】
ステップＳ１における判定の結果、チェックシート画面５５を表示する旨の指示をクライアント装置２から受け付けていないと判断した場合（ステップＳ１：Ｎｏ）、画面表示指示受付手段３１は、ステップＳ１へ戻って判定を繰り返す。一方、ステップＳ１における判定の結果、チェックシート画面５５を表示する旨の指示をクライアント装置２から受け付けたと判断した場合（ステップＳ１：Ｙｅｓ）、画面表示指示受付手段３１は、図２に示すチェックシート画面表示手段４１に対し、クライアント装置２にチェックシート画面５５を表示する旨の命令を発する。
【００５８】
そうすると、チェックシート画面表示手段４１は、図２に示す画面フォーム記憶手段６１からチェックシート画面フォーム５４を読み出す（ステップＳ２）。また、チェックシート画面表示手段４１は、図２に示す検査画像記憶手段６３から当該チェックシートについて記憶された検査画像を読み出す（ステップＳ３）。
【００５９】
次に、チェックシート画面表示手段４１は、図２に示す指摘情報記憶手段６４から指摘情報４０の同期件数を取得する（ステップＳ４）。そして、チェックシート画面表示手段４１は、取得した同期件数が０件か否かを判定する（ステップＳ５）。その結果、取得した同期件数が０件ではないと判断した場合（ステップＳ５：Ｎｏ）、チェックシート画面表示手段４１は、先に読み出したチェックシート画面フォーム５４の所定位置に、検査画像とアラートをそれぞれ配置することにより、アラート付きチェックシート画面５５を作成する（ステップＳ６）。ここで、アラートとは、現在選択されているチェックシートについて指摘情報４０が存在している旨を通知する警告を意味する。本実施形態では、図３に示すように、チェックシート画面フォーム５４に設けられたチェック項目表示エリア５６の上部に、「このチェックシートには指摘情報があります。」という文字列からなるアラート６０を表示している。このアラート６０の形態や表示位置は、本実施形態に限定されず適宜変更が可能である。
【００６０】
一方、ステップＳ５における判定の結果、取得した同期件数が０件であると判断した場合（ステップＳ５：Ｙｅｓ）、チェックシート画面表示手段４１は、先に読み出したチェックシート画面フォーム５４の所定位置に検査画像を配置することにより、アラート６０無しチェックシート画面５５を作成する（ステップＳ７）。
【００６１】
そして、チェックシート画面表示手段４１は、作成したアラート付きチェックシート画面５５またはアラート無しチェックシート画面５５を、クライアント装置２へ送信する（ステップＳ８）。これにより、クライアント装置２においてアラート付きチェックシート画面５５またはアラート無しチェックシート画面５５が表示され、チェックシート画面表示処理が終了する。なお、チェックシート画面表示処理におけるステップＳ２からステップＳ４までの処理は、本実施形態の順序に限定されず任意の順序で実行することが可能である。
【００６２】
（チェックシート画面更新処理）
次に、本実施形態に係る検査指摘情報共有システム１００がクライアント装置２に表示されたチェックシート画面５５を更新するチェックシート画面更新処理について説明する。図８は、チェックシート画面更新処理の流れを示すフローチャートである。
【００６３】
チェックシート画面更新処理が開始すると、図２に示すチェックシート画面更新手段５１が指摘情報記憶手段６４にアクセスし、前回の同期要求時における指摘情報４０の同期件数Ｄ１を取得する（ステップＳ９）。
【００６４】
次に、同期要求受付手段３３が、指摘情報４０を同期する旨の指示をクライアント装置２から受け付けたか否かを判定する（ステップＳ１０）。なお、指摘情報４０を同期する旨の指示は、図２に示すクライアント装置２の同期要求送信手段４８からサーバ装置１の同期要求受付手段３３へ６０秒間隔で送信される。
【００６５】
ステップＳ１０における判定の結果、指摘情報４０を同期する旨の指示をクライアント装置２から受け付けていないと判断した場合（ステップＳ１０：Ｎｏ）、同期要求受付手段３３は、ステップＳ１０へ戻って判定を繰り返す。一方、指摘情報４０を同期する旨の指示を受け付けたと判断した場合（ステップＳ１０：Ｙｅｓ）、同期要求受付手段３３は、図２に示すチェックシート画面更新手段５１に対し、チェックシート画面５５を更新する旨の命令を発する。そうすると、チェックシート画面更新手段５１は、図２に示す指摘情報記憶手段６４から指摘情報４０の今回の同期件数Ｄ２を取得する（ステップＳ１１）。そして、チェックシート画面更新手段５１は、今回の同期件数Ｄ２が前回の同期件数Ｄ１と等しいか否かを判定する（ステップＳ１２）。
【００６６】
ステップＳ１２における判定の結果、今回の同期件数Ｄ２が前回の同期件数Ｄ１と等しくないと判断した場合（ステップＳ１２：Ｎｏ）、チェックシート画面更新手段５１は、ステップＳ１１で取得した同期件数Ｄ２に基づき、指摘件数アイコンを作成してチェックシート画面５５に表示する（ステップＳ１３）。これにより、チェックシート画面更新処理が終了する。なお、本実施形態では、例えば同期件数Ｄ２が３件であって、そのうち同期要求を発したクライアント装置２自身で入力された指摘情報４０が１件、他のクライアント装置２で入力された指摘情報４０が２件の場合、図３に示すように、「指摘  自１件  他２件」という文字列からなる指摘件数アイコン６６が、チェック項目表示エリア５６の画面向かって右下隅部に表示される。この指摘件数アイコン６６の形態や表示位置は、本実施形態に限定されず適宜変更が可能である。
【００６７】
一方、ステップＳ１２における判定の結果、今回の同期件数Ｄ２が前回の同期件数Ｄ１と等しいと判断した場合（ステップＳ１２：Ｙｅｓ）、チェックシート画面更新手段５１は、指摘件数アイコン６６を表示することなく、そのままチェックシート画面更新処理を終了する。
【００６８】
（画像入力画面表示処理）
次に、本実施形態に係る検査指摘情報共有システム１００がクライアント装置２に画像入力画面８を表示する画像入力画面表示処理について説明する。図９は、画像入力画面表示処理の流れを示すフローチャートである。
【００６９】
画像入力画面表示処理が開始すると、図２に示す画面表示指示受付手段３１は、まず画像入力画面８を表示する旨の指示をクライアント装置２から受け付けたか否かを判定する（ステップＳ１５）。なお、画像入力画面８を表示する旨の指示は、例えば図５に示すテキスト入力画面２８において検査員が画像指摘情報入力ボタン３２を押下することにより、クライアント装置２からサーバ装置１に向けて発せられる。
【００７０】
ステップＳ１５における判定の結果、画像入力画面８を表示する旨の指示をクライアント装置２から受け付けていないと判断した場合（ステップＳ１５：Ｎｏ）、画面表示指示受付手段３１は、ステップＳ１５へ戻って判定を繰り返す。一方、ステップＳ１５における判定の結果、画像入力画面８を表示する旨の指示をクライアント装置２から受け付けたと判断した場合（ステップＳ１５：Ｙｅｓ）、画面表示指示受付手段３１は、図２に示す入力画面表示手段４２に対し、クライアント装置２に画像入力画面８を表示する旨の命令を発する。
【００７１】
そうすると、入力画面表示手段４２は、図２に示す画面フォーム記憶手段６１から画像入力画面フォーム７を読み出す（ステップＳ１６）。また、入力画面表示手段４２は、図２に示す図面記憶手段６２から所定の図面１２を読み出す（ステップＳ１７）。
【００７２】
次に、入力画面表示手段４２は、図２に示す指摘情報記憶手段６４から指摘情報４０の同期件数を取得する（ステップＳ１８）。そして、入力画面表示手段４２は、取得した同期件数が０件か否かを判定する（ステップＳ１９）。その結果、取得した同期件数が０件であると判断した場合（ステップＳ１９：Ｙｅｓ）、入力画面表示手段４２は、画像入力画面フォーム７の図面表示エリア９に図面１２を配置することにより、画像入力画面８を作成する（ステップＳ２０）。
【００７３】
一方、ステップＳ１９における判定の結果、取得した同期件数が０件ではないと判断した場合（ステップＳ１９：Ｎｏ）、入力画面表示手段４２は、同期件数に応じた同期件数アイコンを作成する（ステップＳ２１）。本実施形態では、図４に示すように、例えば同期件数が２件の場合、円形の枠体の内部に数字の「２」を表示してなる同期件数アイコン６７を作成する。更に、入力画面表示手段４２は、図２に示す指摘情報記憶手段６４から画像指摘情報である指摘用ピン２５の画像を読み出し、それらを統合した統合画像を作成する（ステップＳ２２）。
【００７４】
そして、入力画面表示手段４２は、図４に示すように、画像入力画面フォーム７の上に、図面１２と統合画像６８と同期件数アイコン６７をそれぞれ配置することにより、画像入力画面８を作成する（ステップＳ２３）。本実施形態では、図４に示すように、図面表示エリア９に図面１２と統合画像６８（外形が矩形の指摘用ピン２５と外形が六角形の指摘用ピン２５とからなる統合画像６８）がそれぞれ配置されると共に、指摘情報４０一覧ボタン２４の画面向かって右上に隣接して同期件数アイコン６７が配置されている。なお、図４に示された外形が円形の指摘用ピン２５は、同期要求を発したクライアント装置２自身が現在入力中の画像指摘情報である。なお、統合画像６８及び同期件数アイコン６７の形態や表示位置は、本実施形態に限定されず適宜変更が可能である。
【００７５】
次に、入力画面表示手段４２は、ステップＳ２０またはステップＳ２３で作成した画像入力画面８をクライアント装置２へ送信する（ステップＳ２４）。これにより、クライアント装置２に画像入力画面８が表示され、画像入力画面表示処理が終了する。なお、画像入力画面表示処理におけるステップＳ１６からステップＳ１８までの処理は、本実施形態の順序に限定されず任意の順序で実行することが可能である。また、ステップＳ２１とステップＳ２２の処理は、本実施形態とは逆の順序で実行することが可能である。
【００７６】
（画像入力画面更新処理）
次に、本実施形態に係る検査指摘情報共有システム１００がクライアント装置２に表示された画像入力画面８を更新する画像入力画面更新処理について説明する。図１０は、画像入力画面更新処理の流れを示すフローチャートである。
【００７７】
画像入力画面更新処理が開始すると、図２に示す入力画面更新手段５２が指摘情報記憶手段６４にアクセスし、前回の同期要求時における指摘情報４０の同期件数Ｄ３を取得する（ステップＳ２５）。次に、同期要求受付手段３３が、指摘情報４０を同期する旨の指示をクライアント装置２から受け付けたか否かを判定する（ステップＳ２６）。
【００７８】
ステップＳ２６における判定の結果、指摘情報４０を同期する旨の指示をクライアント装置２から受け付けていないと判断した場合（ステップＳ２６：Ｎｏ）、同期要求受付手段３３は、ステップＳ２６へ戻って判定を繰り返す。一方、指摘情報４０を同期する旨の指示を受け付けたと判断した場合（ステップＳ２６：Ｙｅｓ）、同期要求受付手段３３は、図２に示す入力画面更新手段５２に対し、画像入力画面８を更新する旨の命令を発する。そうすると、入力画面更新手段５２は、図２に示す指摘情報記憶手段６４から指摘情報４０の今回の同期件数Ｄ４を取得する（ステップＳ２７）。そして、入力画面更新手段５２は、今回の同期件数Ｄ４が前回の同期件数Ｄ３と等しいか否かを判定する（ステップＳ２８）。
【００７９】
ステップＳ２８における判定の結果、今回の同期件数Ｄ４が前回の同期件数Ｄ３と等しくないと判断した場合（ステップＳ２８：Ｎｏ）、入力画面更新手段５２は、ステップＳ２７で取得した同期件数Ｄ４に基づき、同期件数アイコン６７を作成する（ステップＳ２９）。そして、入力画面更新手段５２は、ステップＳ２１で作成してステップＳ２３で画像入力画面８に配置した同期件数アイコン６７を、ステップＳ２９で作成した同期件数アイコン６７で置換する（ステップＳ３０）。
【００８０】
また、入力画面更新手段５２は、図２に示す指摘情報記憶手段６４から画像指摘情報としての指摘用ピン２５の画像を読み出し、それらを統合することにより、統合画像６８を作成する（ステップＳ３１）。そして、入力画面更新手段５２は、ステップＳ２２で作成してステップＳ２３で画像入力画面８に配置した統合画像６８を、ステップ３１で作成した統合画像６８で置換する（ステップＳ３２）。これにより、画像入力画面更新処理が終了する。一方、ステップＳ２８における判定の結果、今回の同期件数Ｄ４が前回の同期件数Ｄ３と等しいと判断した場合（ステップＳ２８：Ｙｅｓ）、入力画面更新手段５２は、同期件数アイコン６７や統合画像６８の置換を行うことなく、そのまま画像入力画面更新処理を終了する。なお、本実施形態とは逆に、統合画像６８の置換を行った後に、同期件数アイコン６７の置換を行うことも可能である。
【００８１】
（一覧画面表示処理）
次に、本実施形態に係る検査指摘情報共有システム１００がクライアント装置２に一覧画面２６を表示する一覧画面表示処理について説明する。図１１は、一覧画面表示処理の流れを示すフローチャートである。
【００８２】
一覧画面表示処理が開始すると、図２に示す画面表示指示受付手段３１は、まず一覧画面２６を表示する旨の指示をクライアント装置２から受け付けたか否かを判定する（ステップＳ３３）。なお、一覧画面２６を表示する旨の指示は、例えば図４に示す画像入力画面８において検査員が指摘情報一覧ボタン２４を押下することにより、クライアント装置２からサーバ装置１に向けて発せられる。
【００８３】
ステップＳ３３における判定の結果、一覧画面２６を表示する旨の指示をクライアント装置２から受け付けていないと判断した場合（ステップＳ３３：Ｎｏ）、画面表示指示受付手段３１は、ステップＳ３３へ戻って判定を繰り返す。一方、ステップＳ３３における判定の結果、一覧画面２６を表示する旨の指示をクライアント装置２から受け付けたと判断した場合（ステップＳ３３：Ｙｅｓ）、画面表示指示受付手段３１は、図２に示す一覧画面表示手段４３に対し、クライアント装置２に一覧画面２６を表示する旨の命令を発する。
【００８４】
そうすると、一覧画面表示手段４３は、図２に示す画面フォーム記憶手段６１から一覧画面フォーム３６を読み出す（ステップＳ３４）。また、一覧画面表示手段４３は、図２に示す検査画像記憶手段６３から所定の検査画像を読み出す（ステップＳ３５）。更に、一覧画面表示手段４３は、図２に示す指摘情報記憶手段６４から画像指摘情報とテキスト指摘情報をそれぞれ読み出す（ステップＳ３６）。また、一覧画面表示手段４３は、図２に示す自他識別アイコン記憶手段６５から自他識別アイコン４４を読み出す（ステップＳ３７）。
【００８５】
そして、一覧画面表示手段４３は、一覧画面フォーム３６の所定位置に、検査画像と画像指摘情報とテキスト指摘情報と自他識別アイコン４４をそれぞれ配置することにより、一覧画面２６を作成する（ステップＳ３８）。そして、一覧画面表示手段４３は、作成した一覧画面２６をクライアント装置２へ送信する（ステップＳ３９）。これにより、クライアント装置２に一覧画面２６が表示され、一覧画面表示処理が終了する。なお、一覧画面表示処理におけるステップＳ３４からステップＳ３７までの処理は、本実施形態の順序に限定されず任意の順序で実行することが可能である。
【００８６】
（一覧画面更新処理）
次に、本実施形態に係る検査指摘情報共有システム１００がクライアント装置２に表示された一覧画面２６を更新する一覧画面更新処理について説明する。図１２は、一覧画面更新処理の流れを示すフローチャートである。
【００８７】
一覧画面更新処理が開始すると、図２に示す一覧画面更新手段５３が指摘情報記憶手段６４にアクセスし、前回の同期要求時における指摘情報４０の同期件数Ｄ５を取得する（ステップ４０）。次に、同期要求受付手段３３が、指摘情報４０を同期する旨の指示をクライアント装置２から受け付けたか否かを判定する（ステップＳ４１）。
【００８８】
ステップＳ４１における判定の結果、指摘情報４０を同期する旨の指示をクライアント装置２から受け付けていないと判断した場合（ステップＳ４１：Ｎｏ）、同期要求受付手段３３は、ステップＳ４１へ戻って判定を繰り返す。一方、指摘情報４０を同期する旨の指示を受け付けたと判断した場合（ステップＳ４１：Ｙｅｓ）、同期要求受付手段３３は、図２に示す一覧画面更新手段５３に対し、一覧画面２６を更新する旨の命令を発する。そうすると、一覧画面更新手段５３は、図２に示す指摘情報記憶手段６４から指摘情報４０の今回の同期件数Ｄ６を取得する（ステップＳ４２）。そして、一覧画面更新手段５３は、今回の同期件数Ｄ６が前回の同期件数Ｄ５と等しいか否かを判定する（ステップＳ４３）。
【００８９】
ステップＳ４３における判定の結果、今回の同期件数Ｄ６が前回の同期件数Ｄ５と等しくないと判断した場合（ステップＳ４３：Ｎｏ）、一覧画面更新手段５３は、指摘情報記憶手段６４から画像指摘情報とテキスト指摘情報をそれぞれ読み出す（ステップＳ４４）。そして、一覧画面更新手段５３は、ステップＳ３６で読み出してステップＳ３８で一覧画面２６に配置した画像指摘情報とテキスト指摘情報を、ステップＳ４４で読み出した画像指摘情報とテキスト指摘情報で置換する（ステップＳ４５）。また、一覧画面更新手段５３は、自他識別アイコン記憶手段６５から自他識別アイコン４４を読み出す（ステップＳ４６）。そして、一覧画面更新手段５３は、ステップＳ３７で読み出してステップＳ３８で一覧画面２６に配置した自他識別アイコン４４を、ステップＳ４６で読み出した自他識別アイコン４４で置換する（ステップＳ４７）。これにより、一覧画面更新処理が終了する。一方、ステップＳ４３における判定の結果、今回の同期件数Ｄ６が前回の同期件数Ｄ５と等しいと判断した場合（ステップＳ４３：Ｙｅｓ）、一覧画面更新手段５３は、画像指摘情報やテキスト指摘情報や自他識別アイコン４４の置換を行うことなく、そのまま一覧画面更新処理を終了する。なお、本実施形態とは逆に、自他識別アイコン４４の置換を行った後に、画像指摘情報とテキスト指摘情報の置換を行うことも可能である。
【００９０】
なお、上述のチェックシート画面表示処理、チェックシート画面更新処理、入力画面表示処理、入力画面更新処理、一覧画面表示処理、及び一覧画面更新処理においては、同期要求を発したクライアント装置２に対し、それ以外のクライアント装置２のうち特定のクライアント装置２からサーバ装置１へ送信された指摘情報のみが送信されてもよい。より詳細には、クライアント装置２を使用する複数の検査員が予め複数のグループに分けられ、同じグループに属する検査員が使用するクライアント装置２の間でのみ、指摘情報が共有される構成であってもよい。
【産業上の利用可能性】
【００９１】
本発明は、例えば複数の検査員が同じ建物の異なる検査箇所で同時に検査を行う場合、各検査員が入力した指摘情報を複数の検査員の間でリアルタイムに共有するために適用される。
【符号の説明】
【００９２】
１  サーバ装置
２  クライアント装置
５  指摘情報共有手段
８  画像入力画面
１２  図面
２５  指摘用ピン
２８  テキスト入力画面
４０  指摘情報
４２  入力画面表示手段
４４  自他識別アイコン
４７  指摘情報送信手段
６７  同期件数アイコン
６８  統合画像
１００  検査指摘情報共有システム
【図１】
2019179491.tif 000003
【図２】
2019179491.tif 000004
【図３】
2019179491.tif 000005
【図４】
2019179491.tif 000006
【図５】
2019179491.tif 000007
【図６】
2019179491.tif 000008
【図７】
2019179491.tif 000009
【図８】
2019179491.tif 000010
【図９】
2019179491.tif 000011
【図１０】
2019179491.tif 000012
【図１１】
2019179491.tif 000013
【図１２】
2019179491.tif 000014